(57)【要約】【課題】取付部材とパネル受部材とが施工組立状態に起立し、かつ梱包収納状態に折畳可能に連結される構造とし、しかも、起立後のパネル受部材の不用意な折畳を規制する。【解決手段】屋根化粧パネルＰを取付けるためのパネル受部材１と、屋根材Ｙに取付ける取付部材２とを組み合わせて構成される屋根化粧パネル取付金具Ａにおいて、上記パネル受部材１又は上記取付部材２の一方に長孔１３を形成すると共に、この長孔１３に重合される軸孔２４を他方に形成して、上記長孔１３と軸孔２４とを連結具３で結合し、上記パネル受部材１と上記取付部材２とは、施工組立状態に起立し、かつ梱包収納状態に折畳可能に連結される構造であって、且つ、上記長孔１３又は軸孔２４の近傍には、上記パネル受部材１が起立される際に乗り越えて回転可能であって、上記パネル受部材１の起立後は、当該パネル受部材１を回転不能な位置に変位させたうえで、その折畳が規制される回転規制突部５を設ける。【選択図】図１
2004232392.tif 000002
【特許請求の範囲】
【請求項１】
屋根化粧パネルを取付けるためのパネル受部材と、屋根材に取付ける取付部材とを組み合わせて構成される屋根化粧パネル取付金具において、
上記パネル受部材又は上記取付部材の一方に長孔を形成すると共に、この長孔に重合される軸孔を他方に形成して、上記長孔と軸孔とを連結具で結合し、上記パネル受部材と上記取付部材とは、施工組立状態に起立し、かつ梱包収納状態に折畳可能に連結される構造であって、且つ、
上記長孔又は軸孔の近傍には、上記パネル受部材が起立される際に乗り越えて回転可能であって、上記パネル受部材の起立後は、当該パネル受部材を回転不能な位置に変位させたうえで、その折畳が規制される回転規制突部を設けたことを特徴とする屋根化粧パネル取付金具。
【請求項２】
請求項１において、
上記回転規制突部は、上記パネル受部材又は取付部材の一方に形成された上記長孔の端縁を、他方に向けて切り起こし形成され、この切り起こされた片の突出縁に、上記取付部材又はパネル受部材が係止して、その折畳が規制される構造にしたことを特徴とする屋根化粧パネル取付金具。
【請求項３】
請求項１又は２の何れかにおいて、
上記パネル受部材には、上記取付部材の連結端の角部を貫通させる切欠逃し溝部を形成しており、これによって、上記取付部材と上記パネル受部材とを起立又は折畳可能にしている屋根化粧パネル取付金具。
【請求項４】
請求項１〜３の何れかにおいて、
上記取付部材又上記パネル受部材のいずれか一方には、それぞれに対する他方の部材を遠ざける位置に移動せるための逃がし孔を、上記軸孔又は長孔に連設しており、これによって、上記取付部材と上記パネル受部材とを起立又は折畳可能にしている屋根化粧パネル取付金具。
【請求項５】
請求項１〜４の何れかにおいて、
上記パネル受部材は、その両端面に屋根化粧パネルの上、下折縁を受止固定する受止折曲片を形成しており、上記取付部材と重合する端縁には、上記取付部材の肉厚よりもやや大きいスリット開口を形成しており、
これによって、上記取付部材は、上記スリット開口を通じて、上記パネル受部材の内方に収容されて、折畳可能にしている屋根化粧パネル取付金具。
【請求項６】
請求項１〜５の何れかにおいて、
上記長孔の長手方向に沿って、高さ位置が識別可能な目印部を形成したことを特徴とする屋根化粧パネル取付金具。
【発明の詳細な説明】
【０００１】
【発明の属する技術分野】
本発明は、屋根の軒先、ケラバ等に設けられる屋根化粧パネルを取付けるための屋根化粧パネル取付金具に関する。
【０００２】
【従来の技術】
折板屋根などの軒先やケラバには、屋根化粧パネル取付金具によって屋根化粧パネルを取り付けており、この屋根化粧パネル取付金具は、屋根材に固着して取付けられる取付部材と、この取付部材に略直交する方向に固定して連結されたパネル受部材とを組み合わせて構成している。（例えば、特許文献１参照。）。
【０００３】
この屋根化粧パネルを取り付けるためには、例えば、折板屋根などの適所に固定されたボルト等の固定具に、取付部材の取付孔を貫通させ、これにナットを螺合して取付部材を固着すれば、その一端に連結されたパネル受部材も鉛直方向に位置付けされて固定される。
【０００４】
そして、この固定されたパネル受部材に、屋根化粧パネルを被覆して係止させることで、これを取付ける。
【０００５】
【特許文献１】
特開平８−３１９７０７号公報（図１）
【０００６】
【発明が解決しようとする課題】
ところが、例示したものでは、上記取付部材とパネル受部材とが一体形成されているため大型化となってしまい、持ち運びが不便なうえ、輸送コストも増すという問題があった。
【０００７】
そのため、上記パネル受部材と上記取付部材とが施工組立状態に起立し、かつ梱包収納状態に折畳可能に連結される構造のものが要望されていた。
【０００８】
また、施工組立状態に起立させた後は、このパネル部材が不用意に倒れて折畳状態になってしまうと屋根化粧パネルの取付作業が困難であるという問題があった。
【０００９】
さらに、施工後、台風などによって強風に煽られるなどして、パネル部材が不用意に倒れて折畳状態になってしまうと屋根化粧パネルを損傷するという問題もあった。
【００１０】
本発明は、かかる課題を解決することを目的とし、取付部材とパネル受部材とが施工組立状態に起立し、かつ梱包収納状態に折畳可能に連結される構造とし、しかも、起立後のパネル受部材の不用意な折畳を規制できる屋根化粧パネル取付金具を提供する。
【００１１】
【課題を解決するための手段】
上記目的を達成するため、
請求項１に係る屋根化粧パネル取付金具は、屋根化粧パネルを取付けるためのパネル受部材と、屋根材に取付ける取付部材とを組み合わせて構成される屋根化粧パネル取付金具において、上記パネル受部材又は上記取付部材の一方に長孔を形成すると共に、この長孔に重合される軸孔を他方に形成して、上記長孔と軸孔とを連結具で結合し、上記パネル受部材と上記取付部材とは、施工組立状態に起立し、かつ梱包収納状態に折畳可能に連結される構造であって、且つ、上記長孔又は軸孔の近傍には、上記パネル受部材が起立される際に乗り越えて回転可能であって、上記パネル受部材の起立後は、当該パネル受部材を回転不能な位置に変位させたうえで、その折畳が規制される回転規制突部を設けたことを特徴とする。
【００１２】
このものでは、パネル受部材又は取付部材の一方に長孔を形成すると共に、他方に軸孔を形成し、これらを連結具で結合することで、上記パネル受部材と上記取付部材とを施工組立状態に起立し、かつ梱包収納状態に折畳可能に連結される構造にできる。
【００１３】
また、上記パネル受部材を起立した後は、当該パネル受部材を回転不能な位置に変位させたうえで、連結具を締め付ければ、回転規制突部がパネル受部材の折畳を規制し、パネル受部材の不用意な折畳みを確実に防止できる。
【００１４】
請求項２に係る屋根化粧パネル取付金具は、請求項１において、上記回転規制突部は、上記パネル受部材又は取付部材の一方に形成された上記長孔の端縁を、他方に向けて切り起こし形成され、この切り起こされた片の突出縁に、上記取付部材又はパネル受部材が係止して、その折畳が規制される構造にしたことを特徴とする。
【００１５】
このものでは、回転規制突部を切り起こして形成されているので、これを簡易に形成することができる。
【００１６】
請求項３に係る屋根化粧パネル取付金具は、請求項１又は２の何れかにおいて、上記パネル受部材には、上記取付部材の連結端の角部を貫通させる切欠逃し溝部を形成しており、これによって、上記取付部材と上記パネル受部材とを起立又は折畳可能にしている。
【００１７】
このものでは、取付部材の連結端の角部が、パネル受部材の切欠逃し溝部を貫通する構造にしており、このような構造によってパネル受部材と取付部材を起立又は折畳可能にできる。
【００１８】
請求項４に係る屋根化粧パネル取付金具は、請求項１〜３の何れかにおいて、上記取付部材又は上記パネル受部材のいずれか一方には、それぞれに対する他方の部材を遠ざける位置に移動せるための逃がし孔を、上記軸孔又は長孔に連設しており、これによって、上記取付部材と上記パネル受部材とを起立又は折畳可能にしている。
【００１９】
このものでは、軸孔又は長孔に連設される逃がし孔を形成して、取付部材とパネル受部材とを遠ざける位置に移動可能な構造にしており、このような構造によってパネル受部材と取付部材を起立又は折畳可能にできる。
【００２０】
請求項５に係る屋根化粧パネル取付金具は、請求項１〜４の何れかにおいて、上記パネル受部材は、その両端面に屋根化粧パネルの上、下折縁を受止固定する受止折曲片を形成しており、上記取付部材と重合する端縁には、上記取付部材の肉厚よりもやや大きいスリット開口を形成しており、これによって、上記取付部材は、上記スリット開口を通じて、上記パネル受部材の内方に収容されて、折畳可能にしている。
【００２１】
このものでは、両端面に屋根化粧パネルの上、下折縁を受止固定する受止折曲片が形成されたパネル受部材であって、このパネル受部材の取付部材と重合する端縁には、取付部材の肉厚よりもやや大きいスリット開口を形成しているので、取付部材は、スリット開口を通じて、パネル受部材の内方に収容されて、パネル受部材と取付部材とを、より小型に折り畳むことができる。
【００２２】
請求項６に係る屋根化粧パネル取付金具は、請求項１〜５の何れかにおいて、上記長孔の長手方向に沿って、高さ位置が識別可能な目印部を形成したことを特徴とする。
【００２３】
このものでは、目印部を形成することで、例えば、施工組立状態に起立された上記パネル受部材の高さ位置を、容易に識別できる。
【００２４】
【発明の実施の形態】
以下、本発明に係る屋根化粧パネル取付金具Ａを図面に基づき説明する。
【００２５】
図１は、本発明に係る屋根化粧パネル取付金具Ａの一実施例を示す使用状態図、図２は、本発明に係る屋根化粧パネル取付金具Ａの一実施例を示す分解斜視図、図３は、図２を組み立てた折畳状態を示す斜視図である。
【００２６】
この屋根化粧パネル取付金具Ａは、屋根化粧パネルＰを取付けるためのパネル受部材１と、このパネル受部材１を屋根材Ｙに固定するための取付部材２とを、ボルト、ナットなどの連結具３で連結している。
【００２７】
屋根化粧パネルＰは、従来同様、金属板、合成樹脂板等で形成されており、その上下端には、パネル受部材１に係止される上、下折縁Ｐ１を形成している。
【００２８】
パネル受部材１は、屋根化粧パネルＰに応じて、これを取付可能な形状であれば良いが、本実施例では、屋根化粧パネルＰの上、下折縁Ｐ１を係止するために、両端面に屋根化粧パネルＰの上、下折縁Ｐ１を受止固定する受止折曲片１１が形成されたアングル材を例示している。
【００２９】
また、パネル受部材１の側面には、長手方向に向けて片部１２を形成しており、この片部１２には、取付け高さを調節するための長孔１３を、略中央から一端側に向けて形成している。
【００３０】
また、長孔１３の近傍には、パネル受部材１が起立される際に乗り越えて回転可能であって、パネル受部材１の起立後には、その折畳が規制される回転規制突部５を設けている。
【００３１】
すなわち、回転規制突部５は、連結具３を締め付ける前の仮組み状態（連結具３のナットをかたく締め付けていない状態）には、パネル受部材１と取付部材２との間が密接されていないので、この連結具３を回転中心にしてパネル受部材１を起立することができ、一方、パネル受部材１の起立後には、連結具３を締め付けることで、パネル受部材１が回転規制されると共に、パネル受部材１と取付部材２との間が密接されるので、パネル受部材１は、回転規制突部５を乗り越えることができずに、その折畳が規制されるのである。
【００３２】
本実施例では、長孔１３の中央側の端縁を、取付部材２側に向けて切り起こし形成された回転規制突部５を設けており、その切り起こされた片の突出縁に、上記取付部材２の隅部が係止されて、パネル受部材１の折畳が規制される構造にしている。
【００３３】
さらに、パネル受部材１の連結端、すなわち、長孔１３が形成された一端側の受止折曲片１１と、片部１２との間には、取付部材２の肉厚よりもやや大きいスリット開口１４を形成している。
【００３４】
また、長孔１３の長手方向に沿って、パネル受部材１の高さ位置が識別可能な目盛等の目印部１７を形成しても良く、このような目印部１７を形成することで、例えば、施工組立状態に起立されたパネル受部材１の高さ位置を、容易に識別でき、施工作業が軽減される。
【００３５】
また、パネル受部材１には、取付部材２の連結端の角部２１ａを貫通させる切欠逃し溝部１６を形成しており、これによって、取付部材２とパネル受部材１とを起立又は折畳可能にしている。
【００３６】
取付部材２は、屋根材Ｙに固定可能であって、且つ、パネル受部材１に折畳可能な形状であれば良いが、本実施例では、一片２１と固定片２２からなるＬ型アングル材を例示している。
【００３７】
この取付部材２の固定片２２には、屋根材Ｙにボルト等の固定具Ｋを挿通するための複数の取付孔２３を適所に形成している。
【００３８】
また、取付部材２の一片２１の軒先或いはケラバ側には、パネル受部材１の長孔１３に重合され、且つ、連結具３が挿通される軸孔２４を形成している。
【００３９】
また、取付部材２の一片２１の適所には、パネル受部材１の長孔１３に係止されるか、或いは、パネル受部材１の片部１２の側縁１２ａに係止される係止部２５を形成している。
【００４０】
ここで、係止部２５は、パネル受部材１と取付部材２が梱包収納状態のときに、パネル受部材１の長孔１３に係止されるか、或いは、パネル受部材１の片部１２の側縁１２ａに係止されるものであれば良く、ここでは、パネル受部材１の長孔１３と係脱可能な凸状の係止部２５を示している。
【００４１】
このように形成されたパネル受部材１の長孔１３と、取付部材２の軸孔２４を重合し、これに連結具３のボルトを貫通したうえで、ナットを仮締めすれば、パネル受部材１と取付部材２が、図３で示すような仮組み状態に連結される。
【００４２】
すなわち、この仮組み状態では、パネル受部材１は、連結具３を軸中心にして図３の矢印に示すように回転規制突部５を乗り越えて回転することができ、パネル受部材１と取付部材２とが、連結具３を介して施工組立状態に起立し、かつ梱包収納状態に折畳可能となる。
【００４３】
また、パネル受部材１が、図３で示すような梱包収納状態のときには、取付部材２の係止部２５が、パネル受部材１の長孔１３に係止されるため、パネル受部材１と取付部材２とが、動くことがなく、この梱包収納状態を確実に固定保持できる。
【００４４】
図４（ａ）〜（ｄ）は、本発明に係る屋根化粧パネル取付金具Ａの施工時での動作を示す概略図、図５（ａ）、（ｂ）及び図６（ｃ）、（ｄ）は、図４の要部の動作状態を更に詳しく説明した部分拡大図である。
【００４５】
上述のように形成された屋根化粧パネル取付金具Ａは、以下の要領で施工する。
【００４６】
以下、図１及び図４〜図６に基づき説明する。
【００４７】
先ず、梱包収納状態のまま、屋根材Ｙの適所に取付部材２の固定片２２を配置し、これを固定具Ｋを用いて屋根材Ｙに固定する〔図４（ａ）、図５（ａ）参照〕。
【００４８】
次いで、パネル受部材１の端部を上方から軽く叩くなどして、長孔１３と係止部２５との係止を離脱し、図中矢印に示すように回転させると、パネル受部材１は、その角部２１ａを切欠逃し溝部１６を貫通すると共に、回転規制突部５を乗り越えながら鉛直方向に起立する〔図４（ｂ）及び図５（ｂ）参照〕。
【００４９】
そして、パネル受部材１の内面が、取付部材２の連結端縁に当接し、それ以上の回転が規制されると共に、パネル受部材１が鉛直方向である施工組立状態に起立される〔図４（ｃ）及び図６（ｃ）参照〕。
【００５０】
このパネル受部材１の起立後、パネル受部材１を下方に押し下げると、角部２１ａが切欠逃し溝部１６を貫通できない位置に移動されるため、パネル受部材１は回転不能な位置に変位されると共に、回転規制突部５の突出縁に、取付部材２下端の隅部が係止されて、パネル受部材１の折畳が規制されるのである〔図４（ｄ）及び図６（ｄ）参照〕。
【００５１】
この状態で、連結具３のナットを締め付ければ、パネル受部材１は、取付部材２と連結して固定される〔図４（ｄ）及び図６（ｄ）参照〕。
【００５２】
最後に、施工組立状態に起立して固定されたパネル受部材１の受止折曲片１１に、従来同様、屋根化粧パネルＰの上、下折縁Ｐ１を受止め固定して、屋根の軒先、ケラバ等に屋根化粧パネルＰを取付けるのである。
【００５３】
このように、本発明の屋根化粧パネル取付金具Ａによれば、パネル受部材１と取付部材２とを連結具３で結合することで、パネル受部材１と取付部材２とを施工組立状態に起立し、かつ梱包収納状態に折畳可能に連結される構造にできるので、搬送時に小型化となり、持ち運びが便利なうえ、輸送コストをも削減できる。
【００５４】
また、パネル受部材１を起立させた後は、当該パネル受部材１を回転不能な位置に変位させたうえで、連結具３を締め付ければ、回転規制突部５がパネル受部材１の折畳を規制し、パネル受部材１の不用意な折畳みを確実に防止できる。
【００５５】
図７は、本発明に係る屋根化粧パネル取付金具Ａの他の実施例を示す分解斜視図、図８（ａ）〜（ｃ）及び図９（ｄ）、（ｅ）は、図７の施工時での動作を示す要部の拡大概略図である。
【００５６】
なお、図１〜図６で示された部位と共通する部位には、共通の番号を付し、その説明は省略する。
【００５７】
この屋根化粧パネル取付金具Ａは、取付部材２、パネル受部材１のいずれか一方には、それぞれに対する他方の部材を遠ざける位置に移動させるための逃がし孔１５を、軸孔２４に連設しており、これによって、取付部材２とパネル受部材１とを折畳可能にしている。
【００５８】
また、本実施例における回転規制突部５は、取付部材２側に形成したものであり、詳しくは、軸孔２４の上端隅部をパネル受部材１側に向けて切り起こして形成し、その切り起こされた片の突出縁に、パネル受部材２の長孔１３が係止されて、パネル受部材１の折畳が規制される構造にしている。
【００５９】
このような屋根化粧パネル取付金具Ａでは、上記同様、梱包収納状態のまま、屋根材Ｙの適所に取付部材２の固定片２２を配置し、これを固定具Ｋを用いて屋根材Ｙに固定する〔図１、図８（ａ）参照〕。
【００６０】
次いで、パネル受部材１の端部を上方から軽く叩くなどして、長孔１３と係止部２５との係止を離脱し、パネル受部材１を鉛直方向に向けて起立させるのであるが、このままでは、取付部材２の連結端の角部２１ａが、パネル受部材１の内面に当接してしまうので、取付部材２をパネル受部材１から遠ざける位置に移動させれば、連結具３が軸孔２４から逃がし孔１５に移動する〔図８（ｂ）、（ｃ）参照〕。
【００６１】
このように取付部材２をパネル受部材１から遠ざけた状態であれば、パネル受部材１を鉛直方向に向けて起立できる〔図９（ｄ）参照〕。
【００６２】
このとき、パネル受部材１は、上記同様、回転規制突部５を乗り越えながら鉛直方向に起立される。
【００６３】
そして、パネル受部材１の内面が、取付部材２の連結端縁に当接し、それ以上の回転が規制されると共に、パネル受部材１が鉛直方向である施工組立状態に起立される〔図９（ｄ）参照〕。
【００６４】
このパネル受部材１の起立後、取付部材２をパネル受部材１に近づける位置に戻せば、連結具３が再び軸孔２４に移動し、パネル受部材１が回転不能な位置に変位されると共に、回転規制突部５の突出縁に、長孔１３の縁部が係止されて、パネル受部材１の折畳が規制されるのである〔図９（ｅ）参照〕。
【００６５】
この状態で、連結具３のナットを締め付ければ、パネル受部材１は、取付部材２と連結して固定される〔図９（ｅ）参照〕。
【００６６】
最後に、上記同様、施工組立状態に起立して固定されたパネル受部材１の受止折曲片１１に、従来同様、屋根化粧パネルＰの上、下折縁Ｐ１を受止め固定して、屋根の軒先、ケラバ等に屋根化粧パネルＰを取付けるのである。
【００６７】
このような屋根化粧パネル取付金具Ａによれば、軸孔２４に連設される逃がし孔１５を形成して、取付部材２とパネル受部材１とを遠ざける位置に移動可能な構造にしているので、仮組みされた状態であっても、パネル受部材１と、取付部材２とを折り畳んで重合することができ、上記同様の効果を得ることができる。
【００６８】
なお、図１０は、取付部材２の軸孔２４に連設された逃がし孔１５の様々な態様例を示した概略図であり、これらのような逃がし孔１５を形成しても同様の効果を得る。
【００６９】
また、図１１（ａ）〜（ｈ）は、パネル受部材１に逃がし孔１５を設けた場合の様々な態様を示す概略正面図である。
【００７０】
ここでは、パネル受部材１の長孔１３に、連結具３が移動される逃がし孔１５を形成したものである。
【００７１】
これらのパネル受部材１には、何れも長孔１３に貫通される連結具３の軸心を移動できるような逃がし孔１５を形成して、取付部材２とパネル受部材１とを遠ざける位置に移動可能な構造にしているので、仮組みされた状態であっても、パネル受部材１と、取付部材２とを折り畳んで重合することができ、上記同様の効果を得ることができる。
【００７２】
なお、逃がし孔１５は、軸孔２４及び長孔１３の両方に形成しても勿論構わない。
【発明の効果】
本発明によれば、次のような効果がある。
【００７３】
請求項１に係る屋根化粧パネル取付金具によれば、パネル受部材又は取付部材の一方に長孔を形成すると共に、他方に軸孔を形成し、これらを連結具で結合することで、上記パネル受部材と上記取付部材とを施工組立状態に起立し、かつ梱包収納状態に折畳可能に連結される構造にできる。
【００７４】
また、上記パネル受部材を起立した後は、当該パネル受部材を回転不能な位置に変位させたうえで、連結具を締め付ければ、回転規制突部がパネル受部材の折畳を規制し、パネル受部材の不用意な折畳みを確実に防止できる。
【００７５】
請求項２に係る屋根化粧パネル取付金具によれば、回転規制突部を切り起こして形成されているので、これを簡易に形成することができる。
【００７６】
請求項３に係る屋根化粧パネル取付金具によれば、取付部材の連結端の角部が、パネル受部材の切欠逃し溝部を貫通する構造にしており、このような構造によってパネル受部材と取付部材を起立又は折畳可能にできる。
【００７７】
請求項４に係る屋根化粧パネル取付金具によれば、軸孔又は長孔に連設される逃がし孔を形成して、取付部材とパネル受部材とを遠ざける位置に移動可能な構造にしており、このような構造によってパネル受部材と取付部材を起立又は折畳可能にできる。
【００７８】
請求項５に係る屋根化粧パネル取付金具によれば、両端面に屋根化粧パネルの上、下折縁を受止固定する受止折曲片が形成されたパネル受部材であって、このパネル受部材の取付部材と重合する端縁には、取付部材の肉厚よりもやや大きいスリット開口を形成しているので、取付部材は、スリット開口を通じて、パネル受部材の内方に収容されて、パネル受部材と取付部材とを、より小型に折り畳むことができる。
【００７９】
請求項６に係る屋根化粧パネル取付金具によれば、目印部を形成することで、例えば、施工組立状態に起立された上記パネル受部材の高さ位置を、容易に識別できる。
【図面の簡単な説明】
【図  １】本発明に係る屋根化粧パネル取付金具Ａの一実施例を示す使用状態図
【図  ２】本発明に係る屋根化粧パネル取付金具Ａの一実施例を示す分解斜視図
【図  ３】図２を組み立てた折畳状態を示す斜視図
【図  ４】（ａ）〜（ｄ）は、本発明に係る屋根化粧パネル取付金具Ａの施工時での動作を示す概略図
【図  ５】（ａ）、（ｂ）は、図４の要部の動作状態を更に詳しく説明した部分拡大図
【図  ６】（ｃ）、（ｄ）は、図４の要部の動作状態を更に詳しく説明した部分拡大図
【図  ７】本発明に係る屋根化粧パネル取付金具Ａの他の実施例を示す分解斜視図
【図  ８】（ａ）〜（ｃ）は、図７の施工時での動作を示す要部の拡大概略図
【図  ９】（ｄ）、（ｅ）は、図７の施工時での動作を示す要部の拡大概略図
【図１０】取付部材の軸孔に連設された逃がし孔の様々な態様例を示した概略図
【図１１】（ａ）〜（ｈ）は、パネル受部材に逃がし孔を設けた場合の様々な態様を示す概略正面図
【符号の説明】
Ａ      屋根化粧パネル取付金具
Ｐ      屋根化粧パネル
Ｐ１    上、下折縁
Ｙ      屋根材
１      パネル受部材
１１    受止折曲片
１２ａ  側縁
１３    長孔
１４    スリット開口
１５    逃がし孔
１６    切欠逃し溝部
２      取付部材
２１ａ  角部
２４    軸孔
２５    係止部
３      連結具
５      回転規制突部
【図１】
2004232392.tif 000003
【図２】
2004232392.tif 000004
【図３】
2004232392.tif 000005
【図４】
2004232392.tif 000006
【図５】
2004232392.tif 000007
【図６】
2004232392.tif 000008
【図７】
2004232392.tif 000009
【図８】
2004232392.tif 000010
【図９】
2004232392.tif 000011
【図１０】
2004232392.tif 000012
【図１１】
2004232392.tif 000013